(57)【要約】【課題】判定機能を簡単に利用することが可能な計量装置を提供する。【解決手段】被計量物を載置可能な計量皿と、前記計量皿に載置された被計量物の重量を計量可能な計量部と、前記計量部によって計量された被計量物の重量を下限値として設定する上下限値簡単設定機能、及び前記上下限値簡単設定機能によって前記下限値が設定された後で前記計量部により計量された被計量物と、前記下限値と、の大小関係を判定する上下限判別機能を実行可能な機能実行部と、を具備し、前記機能実行部は、電源が投入された場合、最初に前記上下限値簡単設定機能を実行する。【選択図】図７
2019015668.tif 000002
【特許請求の範囲】
【請求項１】
被計量物を載置可能な載置部と、
前記載置部に載置された被計量物の重量を計量可能な計量部と、
前記計量部によって計量された被計量物の重量を第一基準重量値として設定する設定機能、及び前記設定機能によって前記第一基準重量値が設定された後で前記計量部により計量された被計量物と、前記第一基準重量値と、の大小関係を判定する判定機能を実行可能な機能実行部と、
を具備し、
前記機能実行部は、
電源が投入された場合、最初に前記設定機能を実行する、
計量装置。
【請求項２】
前記機能実行部は、
電源が投入され、前記設定機能を実行することにより前記第一基準重量値が設定された場合、前記判定機能を実行する、
請求項１に記載の計量装置。
【請求項３】
前記設定機能は、
前記第一基準重量値に基づいて第二基準重量値を設定するものであり、
前記判定機能は、
前記計量部により計量された被計量物と、前記第一基準重量値及び前記第二基準重量値と、の大小関係を判定するものである、
請求項１又は請求項２に記載の計量装置。
【請求項４】
前記設定機能は、
前記第一基準重量値を所定の割合だけ増加又は減少させた値を前記第二基準重量値として設定するものである、
請求項３に記載の計量装置。
【請求項５】
前記設定機能は、
前記第一基準重量値に所定の値を加算又は減算した値を前記第二基準重量値として設定するものである、
請求項３に記載の計量装置。
【発明の詳細な説明】
【技術分野】
【０００１】
本発明は、被計量物の重量を計量する計量装置に関する。
【背景技術】
【０００２】
後掲の特許文献１は、上記計量装置の一例を開示している。特許文献１に記載の計量装置は、計量した被計量物の重量が２つの基準値（下限値及び上限値）の範囲に含まれているか否かを判定する機能（上下限判別機能）を有している。
【０００３】
特許文献１に記載の技術では、被計量物を計量している状態（計量皿に被計量物を載置した状態）で所定の操作キーの操作を行うことで、当該被計量物の重量を下限値として設定できる。また、当該下限値に基づいて上限値が自動的に決定される。このように、下限値を決定することで自動的に上限値も決定されるため、２つの基準値を比較的簡単に設定することができる。
【先行技術文献】
【特許文献】
【０００４】
【特許文献１】特開２０１６−１４８５３２号公報
【発明の概要】
【発明が解決しようとする課題】
【０００５】
しかしながら、特許文献１に記載の技術では、基準値を設定する際には計量皿に被計量物を載置した状態で所定の操作キーの操作を行う必要があるため、当該操作手順がやや煩雑であり、上下限判別機能（判定機能）が活用し難い点で改善の余地があった。
【０００６】
本発明は、上記課題を解決するため、判定機能を簡単に利用することが可能な計量装置を提供することを目的とする。
【課題を解決するための手段】
【０００７】
上記目的を達成するために、本発明の一態様に係る計量装置は、被計量物を載置可能な載置部と、前記載置部に載置された被計量物の重量を計量可能な計量部と、前記計量部によって計量された被計量物の重量を第一基準重量値として設定する設定機能、及び前記設定機能によって前記第一基準重量値が設定された後で前記計量部により計量された被計量物と、前記第一基準重量値と、の大小関係を判定する判定機能を実行可能な機能実行部と、を具備し、前記機能実行部は、電源が投入された場合、最初に前記設定機能を実行する。
【０００８】
本発明によると、判定機能を簡単に利用することができる。
【図面の簡単な説明】
【０００９】
【図１】本発明の一実施形態に係る計量装置の全体的な構成を示した斜視図。
【図２】同じく、側面断面模式図。
【図３】同じく、制御に関する構成を示したブロック図。
【図４】計量装置のモード遷移の一例を示したモード遷移図。
【図５】はかり設定モードが有する項目及び設定値を示したブロック図。
【図６】上下限値簡単設定機能を用いた下限値等の設定手順を示したフローチャート。
【図７】電源投入時計量モードの内容を示したフローチャート。
【図８】上下限値簡単設定機能又は上下限判別機能における手動による設定の様子を示したフローチャート。
【図９】ランク選別機能における手動による設定の様子を示したフローチャート。
【発明を実施するための形態】
【００１０】
以下では、図中に示した矢印に従って、前後方向、上下方向及び左右方向をそれぞれ定義する。なお、本明細書では、「所定のキー操作」という用語を多用しているが、計量装置１が有する各種操作ボタンの１つの操作ボタンの操作や、複数の操作ボタンの組合せのことをいう。そして、１または複数の操作ボタンを操作するにあたり、どの１の操作ボタンの操作をするか、あるいは、どの操作ボタンの組合せを操作するかについては、これから実行しようとする機能やモードに応じて、それぞれが適宜異なるように予め設定されている。
【００１１】
まず、図１及び図２を用いて、本発明の一実施形態に係る計量装置１の構成の概略を説明する。
【００１２】
計量装置１は、被計量物の重量を計量するものである。ここで、被計量物とは、計量装置１によって計量される種々の物、例えば、じゃがいも、タマネギ、桃、ぶどう、人参といった物を意味する。これらは、数個集まった単位で計り売りされる場合がある。計量装置１は、主として本体部１０及び計量皿２０を具備する。
【００１３】
本体部１０は、計量装置１の主たる構造体となるものである。本体部１０は、主として筐体１１、乾電池１２、ロードセル１３、操作キー群１４、液晶表示部１５、ＬＥＤ表示部１６及び制御基板１７を具備する。
【００１４】
筐体１１は、略箱状に形成される部材である。筐体１１の前面は、後上方から前下方に向けて傾斜するように形成される。
【００１５】
乾電池１２は、計量装置１の電力源となるものである。乾電池１２は、筐体１１内の前部に配置される。
【００１６】
ロードセル１３は、荷重を検出するセンサである。ロードセル１３は、筐体１１内の前後中途部から後部に亘って配置される。ロードセル１３は、荷重が加わることによって生じるひずみを検出することで、当該荷重を検出することができる。
【００１７】
操作キー群１４は、計量装置１に関する操作を行うためのものである。操作キー群１４は、筐体１１の前面の左端部近傍に配置される。操作キー群１４は、主として第一操作キー１４ａ、第二操作キー１４ｂ、第三操作キー１４ｃ及び第四操作キー１４ｄを具備する。
【００１８】
第一操作キー１４ａは、主として計量装置１の電源を入り切りする際に使用される。第一操作キー１４ａが押し込み操作されると、計量装置１の電源が入る。また計量装置１の電源が入れられた状態で、第一操作キー１４ａが所定時間の間押し込み操作され続ける（長押しされる）と、当該計量装置１の電源が切れる。
【００１９】
第二操作キー１４ｂは、主として液晶表示部１５の表示を切り替える際に使用される。具体的には、計量皿２０に何も載置されていない状態で第二操作キー１４ｂが押し込み操作される度に、液晶表示部１５に表示される情報（例えば、各種の設定値等）が所定の順番で切り替えられる。
また、第二操作キー１４ｂは、後述する「はかり設定モード」において、液晶表示部１５に表示される項目を切り替える際に使用される。
【００２０】
第三操作キー１４ｃは、主として風袋引きを行う際に使用される。第三操作キー１４ｃを用いて風袋引きが行われる様子については、後述する。
また、第三操作キー１４ｃは、後述する「はかり設定モード」において、液晶表示部１５に表示される設定値を増加させる際に使用される。
【００２１】
第四操作キー１４ｄは、主として零点リセットを行う際に使用される。第四操作キー１４ｄを用いて零点リセットが行われる様子については、後述する。
また、第四操作キー１４ｄは、後述する「はかり設定モード」において、後述する液晶表示部１５に表示される設定値を減少させる際に使用される。
【００２２】
液晶表示部１５は、計量装置１に関する各種の情報を表示するものである。液晶表示部１５は、筐体１１の前面の左右略中央部に配置される。
【００２３】
ＬＥＤ表示部１６は、被計量物の重量が予め設定された範囲に含まれているか否かを表示するものである。ＬＥＤ表示部１６は、筐体１１の前面の左右略中央部、かつ液晶表示部１５の前下方に配置される。ＬＥＤ表示部１６は、赤色、青色又は黄色に点灯することが可能である。
【００２４】
制御基板１７は、計量装置１に関する各種の演算や記憶等の制御を行うためのものである。制御基板１７には、後述する記憶部３３ａや演算部３３ｂ等が配置される。制御基板１７は、筐体１１内の前部（当該筐体１１の前面のすぐ背後）に配置される。
【００２５】
計量皿２０は、略矩形板状の部材である。計量皿２０は広い上面を有し、当該上面に載置された被計量物を保持することができる。計量皿２０は本体部１０の上方に配置される。計量皿２０の下面略中央部は、ロードセル１３に固定されて支持される。これによって、計量皿２０に載置される被計量物の荷重が、ロードセル１３に加えられることになる。
【００２６】
次に、図３を用いて、計量装置１の制御に関する構成について説明する。
【００２７】
計量装置１は、制御に関する構成として、制御部３３、ロードセル１３、増幅回路３１、Ａ／Ｄコンバータ３２、操作キー群１４、液晶表示部１５及びＬＥＤ表示部１６を具備する。
【００２８】
制御部３３は、計量装置１に関する制御を行うものである。制御部３３は、主として記憶部３３ａ及び演算部３３ｂを具備する。
【００２９】
記憶部３３ａは、種々の情報を記憶するものである。記憶部３３ａは、ＲＡＭ及びＲＯＭ等により構成される。記憶部３３ａには、計量装置１の制御に関するプログラム等が予め記憶されている。また、記憶部３３ａには、計量装置１の制御に関する新たな情報を記憶することができる。
【００３０】
演算部３３ｂは、種々の演算を行うものである。演算部３３ｂは、ＣＰＵ等により構成される。演算部３３ｂは、記憶部３３ａに記憶されているプログラムを実行することにより、計量装置１の制御を行う。
【００３１】
増幅回路３１は、ロードセル１３から受信したアナログ信号を増幅するものである。増幅回路３１は、増幅したアナログ信号を、後述するＡ／Ｄコンバータ３２に送信する。
【００３２】
Ａ／Ｄコンバータ３２は、増幅回路３１から受信したアナログ信号をデジタル信号へと変換するものである。Ａ／Ｄコンバータ３２は、変換されたデジタル信号を、制御部３３（演算部３３ｂ）に送信する。
【００３３】
また、操作キー群１４からの操作信号は、制御部３３（演算部３３ｂ）に送信される。制御部３３は、当該操作信号に基づいて計量装置１の制御を行う。
【００３４】
また、制御部３３（演算部３３ｂ）は、液晶表示部１５に表示信号を送信することにより、当該液晶表示部１５に所定の情報を表示させることができる。
【００３５】
また、制御部３３（演算部３３ｂ）は、ＬＥＤ表示部１６に表示信号を送信することにより、当該ＬＥＤ表示部１６を赤色、青色又は黄色に点灯させることができる。
【００３６】
次に、上述の如く構成された計量装置１が有する５つの状態（モード）、具体的には「電源投入時計量モード」、「品種番号選択モード」、「判別計量モード」、「品種設定モード」及び「はかり設定モード」について説明する。
【００３７】
図４は、計量装置１のモード遷移の一例を示したモード遷移図である。計量装置１の制御部３３は、最初に電源が投入されたときには（図中の矢印（１））、「電源投入時計量モード」を実行する。最初に電源が投入された場合に実行される「電源投入時計量モード」においては、後述する「通常計量機能」が実行され、その他の機能（「上下限値判別機能」等）は実行されない。制御部３３は、この「電源投入時計量モード」の状態を、何ら他のモードへの切替操作がなされないかぎり、電源がオフされるまでの間、継続する。
【００３８】
後述する「はかり設定モード」から「電源投入時計量モード」へと切り替えられた場合（図中の矢印（１１）及び（１））には、「通常計量機能」以外の機能が実行されている場合がある。例えば、「電源投入時計量モード」の状態において後述する「上下限判別機能」が実行されている場合には、制御部３３は、「電源投入時計量モード」から「判別計量モード」へと状態を切り替える（図中の矢印（２））。「判別計量モード」は、後述する「上下限判別機能」、「ランク選別機能」等を実行して、被計量物を重量に応じて仕分ける機能を有している。
【００３９】
また「電源投入時計量モード」の状態において「品種番号選択モード」への切替操作がなされたときには（図中の矢印（３））、制御部３３は、「電源投入時計量モード」から「品種番号選択モード」へと状態を切り替える。「品種番号選択モード」は、被計量物の品種等に応じた設定値を呼び出すための機能を有する。
【００４０】
「品種番号選択モード」の状態において、被計量物の品種（品種番号）を選択する操作がなされたときには（図中の矢印（４））、制御部３３は、「品種番号選択モード」から「判別計量モード」へと状態を切り替える。また「判別計量モード」の状態において「品種番号選択モード」への切替操作がなされたときには（図中の矢印（５））、制御部３３は、「判別計量モード」から「品種番号選択モード」へと状態を切り替える。
【００４１】
「品種番号選択モード」の状態において「品種設定モード」への切替操作がなされたときには（図中の矢印（６））、制御部３３は、「品種番号選択モード」から「品種設定モード」へと状態を切り替える。「品種設定モード」は、品種ごとのテーブルとして記憶されている設定値を手動で変更するための機能を有する。
【００４２】
「品種設定モード」において設定が完了したときには（図中の矢印（７））、制御部３３は、「品種設定モード」から「判別計量モード」へと状態を切り替える。
【００４３】
「判別計量モード」において「電源投入時計量モード」への切替操作がなされたときには（図中の矢印（８））、制御部３３は、「判別計量モード」から「電源投入時計量モード」へと状態を切り替える。「判別計量モード」から「電源投入時計量モード」に切り替えられた場合には、後述する「通常計量機能」が実行され、その他の機能（「上下限値判別機能」等）は実行されない。
【００４４】
「電源投入時計量モード」又は「判別計量モード」において「はかり設定モード」への切替操作がなされたときには（図中の矢印（９）又は（１０））、制御部３３は、「はかり設定モード」へと状態を切り替える。「はかり設定モード」は、計量装置１を所定の機能が実行できる状態に変更したり、各種の設定を変更したりするためのモードである。「はかり設定モード」においては、後述の設定値が適宜変更され、所定の操作がなされたときには（図中の矢印（１１））、制御部３３は、計量装置１を再起動させ、「電源投入時計量モード」へと状態を切り替える（図中の矢印（１１）及び（１））。
【００４５】
電源がオフされないかぎりは、制御部３３は、実行中のモード、すなわち、「電源投入時計量モード」、「品種番号選択モード」、「判別計量モード」、「品種設定モード」、「はかり設定モード」のいずれかのモードを継続する。一方で、電源がオフされたときには、制御部３３への電源供給が終了されるなどによって、実行中のモードが終了される。
【００４６】
以下、「はかり設定モード」について説明する。「電源投入時計量モード」又は「判別計量モード」において、操作キー群１４を用いて所定の操作が行われる（例えば、第三操作キー１４ｃと第四操作キー１４ｄが同時に押し込み操作される）と、制御部３３は、計量装置１の状態を「はかり設定モード」に切り替える（図４中の矢印（９）及び（１０））。
【００４７】
図５に示すように、「はかり設定モード」では、主に「機能の選択」（項目０１）、「ブザーに関する設定」（項目０２）及び「ランプに関する設定」（項目０３）、「上下限値簡単設定方法変更」（項目０４）、「上下限値簡単設定の割合変更」（項目０５）及び「上下限値簡単設定の目量数変更」（項目０６）等を選択して実行することができる。なお、上記項目０１から項目０６までは一例として示したものであり、「はかり設定モード」はその他の項目も有しているものとする。以下では、図３及び図５を用いて、「はかり設定モード」における各項目（項目０１から項目０６まで）の選択方法を説明した後に、各項目（項目０１から項目０６まで）の詳細についてそれぞれ説明する。
【００４８】
制御部３３は、「はかり設定モード」に切り替えられると、まず項目０１を示す表示（例えば、「０１」という数字）を液晶表示部１５の左側部分に表示させる。この状態で作業者が第二操作キー１４ｂを押し込み操作すると、制御部３３は次の項目（すなわち、項目０２）を示す表示（例えば、「０２」という数字）を液晶表示部１５に表示させる。
【００４９】
同様に、作業者が第二操作キー１４ｂを押し込み操作する度に、制御部３３は項目０３を示す表示（例えば、「０３」という数字）、項目０４を示す表示（例えば、「０４」という数字）、項目０５を示す表示（例えば、「０５」という数字）及び項目０６を示す表示（例えば、「０６」という数字）を順に液晶表示部１５に表示させる。
【００５０】
計量装置１が有する最後の項目を示す表示が液晶表示部１５に表示されている状態で、さらに第二操作キー１４ｂが押し込み操作された場合、制御部３３は再び項目０１を示す表示を液晶表示部１５に表示させる。
【００５１】
このように、作業者は、第二操作キー１４ｂを繰り返し押し込み操作することで、各項目の中から所望の項目を選択して液晶表示部１５の左側部分に表示させることができる。
【００５２】
また、各項目を示す表示が液晶表示部１５の左側部分に表示された状態においては、当該項目に関する設定値が液晶表示部１５の右側部分に表示される。ここで、当該設定値とは、各項目の設定内容を示す値である。各項目における設定値の詳細については後述する。
【００５３】
作業者が第三操作キー１４ｃを押し込み操作すると、制御部３３は液晶表示部１５に表示された設定値を増加させる。また、作業者が第四操作キー１４ｄを押し込み操作すると、制御部３３は液晶表示部１５に表示された設定値を減少させる。このように、作業者は第三操作キー１４ｃ又は第四操作キー１４ｄを繰り返し押し込み操作することで、設定値を所望の値に変更することができる。
【００５４】
このようにして、作業者は所望の項目を選択し、当該項目の設定値を所望の値に変更することができる。また、設定値を変更した後で、操作キー群１４を用いて所定の決定操作が行われると、制御部３３は、当該項目の設定値を記憶する。当該決定操作としては、例えば、第二操作キー１４ｂの押し込み操作がある。当該決定操作が行われると、設定値が記憶されるとともに、項目が次へと送られる。またこの際、制御部３３は、当該設定値に所定の機能が割り当てられている場合には、計量装置１を当該機能が実行できる状態に変更する。その後、制御部３３は、計量装置１を再起動させる。
【００５５】
次に、各項目（項目０１から項目０６まで）の詳細についてそれぞれ説明する。
【００５６】
「機能の選択」（項目０１）は、計量装置１が有する機能を選択し、当該機能を実行可能な状態とするための項目である。項目０１の設定値には、計量装置１が有する機能がそれぞれ割り当てられている。具体的には、設定値０００には「通常計量機能」、設定値００１には「上下限判別機能」、設定値００２には「ランク選別機能」、設定値００３には「上下限値簡単設定機能」がそれぞれ割り当てられている。なお、上記設定値０００から設定値００３までは一例として示したものであり、その他の設定値にはその他の機能が割り当てられているものとする。
【００５７】
「通常計量機能」（設定値０００）は、単に被計量物の重量を計量する機能である。詳細は後述する。
【００５８】
「上下限判別機能」（設定値００１）は、被計量物の重量が、予め設定された範囲に含まれるか否か（具体的には、下限値ＬＬと上限値ＵＬとの間の値であるか否か）を、ＬＥＤ表示部１６に表示させる機能である。
【００５９】
具体的には、「判別計量モード」において、「上下限判別機能」が実行された状態で計量皿２０に被計量物が載置されると、制御部３３は当該被計量物の重量を算出する。詳細には、計量皿２０に被計量物が載置されると、当該計量皿２０に加わる荷重がロードセル１３によって検出される。ロードセル１３からのアナログ信号は、増幅回路３１において増幅された後、Ａ／Ｄコンバータ３２においてデジタル信号へと変換される。当該変換されたデジタル信号は、制御部３３の演算部３３ｂに送信される。演算部３３ｂは、記憶部３３ａに記憶されたプログラムに従って、受信したデジタル信号からロードセル１３に加えられた荷重（ひいては、計量皿２０に載置された被計量物の重量）を算出することができる。
【００６０】
制御部３３は、被計量物の重量が下限値ＬＬ未満である場合、ＬＥＤ表示部１６を赤色に点灯させる。制御部３３は、被計量物の重量が上限値ＵＬよりも大きい場合、ＬＥＤ表示部１６を黄色に点灯させる。制御部３３は、被計量物の重量が下限値ＬＬ以上かつ上限値ＵＬ以下である場合、ＬＥＤ表示部１６を青色に点灯させる。作業者は、当該ＬＥＤ表示部１６の色を確認することで、被計量物の重量が軽量（下限値ＬＬ未満）であるか、過量（上限値ＵＬより大きい）であるか、適量（下限値ＬＬ以上かつ上限値ＵＬ以下）であるか、を容易に判別することができる。
【００６１】
ここで、下限値ＬＬ及び上限値ＵＬは、作業者が予め設定することができる。当該下限値ＬＬ及び上限値ＵＬの設定方法の詳細については後述する。
【００６２】
「ランク選別機能」（設定値００２）は、被計量物の重量が、予め設定された複数のランク（重量の範囲）のうち、どのランクに含まれるかを液晶表示部１５に表示させる機能である。
【００６３】
「上下限値簡単設定機能」（設定値００３）は、下限値ＬＬ及び上限値ＵＬを簡単に設定することができる機能である。以下、図６を用いて、当該「上下限値簡単設定機能」を用いて下限値ＬＬ及び上限値ＵＬが設定される手順について具体的に説明する。
【００６４】
「電源投入時計量モード」において、「上下限値簡単設定機能」が実行されると、制御部３３は、液晶表示部１５に「目標質量を載せてください」等の指示を表示する（図６のステップＳ１１１）。当該指示としては、作業者に対して、計量皿２０に被計量物（下限値ＬＬを設定するための被計量物）を載置するように促す内容が設定されている。
【００６５】
上記指示を確認した作業者が計量皿２０に被計量物を載置すると（ステップＳ１１２）、制御部３３は当該被計量物の重量を算出する（ステップＳ１１３）。制御部３３は、算出された被計量物の重量を、下限値ＬＬの値として設定する（ステップＳ１１４）。本実施形態において、制御部３３は、下限値ＬＬを記憶部３３ａのＲＡＭ等の揮発性メモリに記憶する。このため、計量装置１の電源が切られると、当該下限値ＬＬの設定（記憶）は消去される。
【００６６】
さらに制御部３３は、下限値ＬＬを基準として上限値ＵＬを設定する（ステップＳ１１５）。具体的には、後述の「上下限値簡単設定方法変更」（項目０４）で説明する「割合」を用いた算出方法、又は「目量値」を用いた算出方法によって、下限値ＬＬから上限値ＵＬを算出する。本実施形態において、制御部３３は、上限値ＵＬを記憶部３３ａのＲＡＭ等の揮発性メモリに記憶する。このため、計量装置１の電源が切られると、当該上限値ＵＬの設定（記憶）は消去される。
【００６７】
このように制御部３３は、計量皿２０に載置された被計量物の重量を下限値ＬＬとして設定するとともに、当該下限値ＬＬに基づいて上限値ＵＬを設定する。すなわち作業者は、計量皿２０に基準となる被計量物を載置するだけで、下限値ＬＬと上限値ＵＬを簡単に設定することができる。この際、予め正確に重量が設定された基準となるおもり（分銅等）を用いて下限値ＬＬ等を設定すれば、正確な値を容易に設定することができる。
【００６８】
このように、図５に示す項目０１（「機能の選択」）においては、上述の設定値０００から設定値００３まで、並びにその他の設定値に、それぞれ異なる機能が割り当てられている。
【００６９】
「ブザーに関する設定」（項目０２）は、計量装置１の各機能を実行する際のブザーのオン／オフの切り替えや、ブザーを鳴らすタイミング等を設定するための項目である。作業者は、項目０２を示す表示を液晶表示部１５に表示させた状態で操作キー群１４を適宜操作することで、ブザーのオン／オフの切り替え等の設定を行うことができる。
【００７０】
「ランプに関する設定」（項目０３）は、計量装置１のランプ（ＬＥＤ表示部１６）の輝度を変更するための項目である。作業者は、項目０３を示す表示を液晶表示部１５に表示させた状態で操作キー群１４を適宜操作することで、ＬＥＤ表示部１６の輝度の設定を行うことができる。
【００７１】
「上下限値簡単設定方法変更」（項目０４）は、上下限値簡単設定を用いて上限値ＵＬを設定する際の、当該上限値ＵＬの算出方法を変更するための項目である。項目０４の設定値（設定値００１及び設定値００２）には、上限値ＵＬの算出方法がそれぞれ割り当てられている。具体的には、設定値００１には「割合」を用いた算出方法、設定値００２には「目量数」を用いた算出方法がそれぞれ割り当てられている。
【００７２】
「割合」を用いた算出方法（設定値００１）は、下限値ＬＬを基準として、当該下限値ＬＬを所定の割合Ｒだけ増加させた値を上限値ＵＬとして設定する方法である。本実施形態においては、割合Ｒは百分率（％）で表されるものとする。また本実施形態においては、割合Ｒの取り得る値は「５＜割合Ｒ＜１００」に設定されると共に、上限値ＵＬは、「上限値ＵＬ＝下限値ＬＬ×（１００＋割合Ｒ）」の数式を用いて算出されるものとする。このようにして求められた上限値ＵＬは、下限値ＬＬを割合Ｒ（％）だけ増加させた値になる。
【００７３】
「目量数」を用いた算出方法（設定値００２）は、下限値ＬＬを基準として、当該下限値ＬＬに所定の目量数Ｓ（すなわち、所定の重量）を加算した値を上限値ＵＬとして設定する方法である。本実施形態においては、目量数Ｓの取り得る値は「１０＜目量数Ｓ＜３００」に設定されると共に、上限値ＵＬは、「上限値ＵＬ＝下限値ＬＬ＋目量数Ｓ」の数式を用いて算出されるものとする。このようにして求められた上限値ＵＬは、下限値ＬＬを目量数Ｓだけ増加させた値になる。
【００７４】
「上下限値簡単設定の割合変更」（項目０５）は、上述の割合Ｒの値を変更するための項目である。項目０５の設定値は、割合Ｒの値として記憶される。
【００７５】
具体的には、作業者は、項目０５を示す表示を液晶表示部１５に表示させた状態で、第三操作キー１４ｃ又は第四操作キー１４ｄの押し込み操作を繰り返すことで、液晶表示部１５に表示された設定値を増加又は減少させ、所望の値に変更する。設定値が所望の値になった場合、作業者は操作キー群１４を用いて所定の決定操作を行う。当該決定操作が行われると、制御部３３は、液晶表示部１５に表示された設定値を割合Ｒの値として記憶する。
【００７６】
「上下限値簡単設定の目量数変更」（項目０６）は、上述の目量数Ｓの値を変更するための項目である。項目０６の設定値は、目量数Ｓの値として記憶される。
【００７７】
具体的には、作業者は、項目０６を示す表示を液晶表示部１５に表示させた状態で、第三操作キー１４ｃ又は第四操作キー１４ｄの押し込み操作を繰り返すことで、液晶表示部１５に表示された設定値を増加又は減少させ、所望の値に変更する。設定値が所望の値になった場合、作業者は操作キー群１４を用いて所定の決定操作を行う。当該決定操作が行われると、制御部３３は、液晶表示部１５に表示された設定値を目量数Ｓの値として記憶する。
【００７８】
次に、「通常計量機能」について説明する。「通常計量機能」とは、先述の通り、単に被計量物の重量を計量するための機能である。
【００７９】
この「通常計量機能」が実行されている際には、計量皿２０に被計量物が載置されると、制御部３３（演算部３３ｂ）は当該被計量物の重量を算出する。演算部３３ｂは、算出された被計量物の重量を液晶表示部１５に表示させる。作業者は、液晶表示部１５の表示を見ることで、被計量物の重量を確認することができる。
【００８０】
「通常計量機能」、「上下限判別機能」及び「ランク選別機能」では、第三操作キー１４ｃを用いて風袋引きを行うことができる。
【００８１】
被計量物の容器（風袋）が計量皿２０に載置された状態で第三操作キー１４ｃが押し込み操作されると、制御部３３は、当該状態で液晶表示部１５に表示される重量（前記容器の重量）が０になるように、重量の算出結果を調整する。この状態で容器に入れられた被計量物を当該容器ごと計量すると、当該容器の重量が差し引かれた被計量物だけの重量が取得される。これによって、容器に入れられた被計量物の正味の重量を容易に計量することができる。
【００８２】
また、「通常計量機能」、「上下限判別機能」及び「ランク選別機能」では、第四操作キー１４ｄを用いて零点リセットを行うことができる。
【００８３】
計量皿２０に被計量物が載っていない状態で第四操作キー１４ｄが押し込み操作されると、制御部３３は、当該状態で液晶表示部１５に表示される被計量物の重量が０になるように、重量の算出結果を調整する。従って、被計量物が計量皿２０に載置されていない状態で第四操作キー１４ｄを押し込み操作することによって、零点（被計量物が計量皿２０に載置されていない状態での液晶表示部１５の表示）のずれを修正することができ、正確な計量を行うことができるようになる。
【００８４】
次に、計量装置１が有する「電源投入時計量モード」について説明する。「電源投入時計量モード」とは、計量装置１の電源が入れられた際（再起動された場合も含む）に最初に実行される状態（モード）であり、通常は、「通常計量機能」を実行するモードである。以下、図７を用いて、「電源投入時計量モード」の内容について具体的に説明する。ただし、図４の矢印（２）を見れば判ることではあるが、電源投入時計量モードの実行中において、所定のキー操作をすることにより、判別計量モードに切り替わることは可能である。
【００８５】
計量装置１の電源が入れられると、制御部３３によって当該計量装置１の状態が「電源投入時計量モード」に切り替えられる。「電源投入時計量モード」においては、まず現在実行されている機能が確認され（図７のステップＳ１３１）、当該機能に応じたステップへの移行が行われる。
【００８６】
具体的には、制御部３３は、ステップＳ１３１において、現在「通常計量機能」、「上下限判別機能」、「ランク選別機能」のいずれかが選択（実行）されていると判定した場合には、ステップＳ１３２へと移行する。なお、「はかり設定モード」において「通常計量機能」（設定値０００）、「上下限判別機能」（設定値００１）、「ランク選別機能」（設定値００２）のいずれかが選択され、計量装置１が再起動した場合には、当該「通常計量機能」が実行される。
【００８７】
制御部３３は、ステップＳ１３２に移行すると、「電源投入時計量モード」において「通常計量機能」を実行する。すなわち、この場合、単に被計量物の重量を計量することができる。
【００８８】
制御部３３は、ステップＳ１３２で通常計量機能が実行された後、所定のキー操作を検出したときには（ステップＳ１３５のＹ）、判別計量モードに切り替わり、選択された機能を実行する。一方、制御部３３は、何ら操作がされないときには（ステップＳ１３５のＮ）、そのまま通常計量機能の実行を継続する。
【００８９】
また、制御部３３は、ステップＳ１３１において、現在「上下限値簡単設定機能」が実行されていると判定した場合、ステップＳ１３４へと移行する。なお、制御部３３は、「はかり設定モード」において「上下限値簡単設定機能」（設定値００３）が選択されて計量装置１が再起動した場合だけでなく、計量装置１の電源が最初に投入された場合にも、「上下限値簡単設定機能」を実行してもよい。
【００９０】
制御部３３は、ステップＳ１３４に移行すると、「電源投入時計量モード」において「上下限値簡単設定機能」を実行する。「上下限値簡単設定機能」が実行されると、最初に計量皿２０に載置された被計量物に基づいて下限値ＬＬ及び上限値ＵＬが設定され、所定のテーブルとして記憶される。制御部３３は、「上下限値簡単設定機能」によって下限値ＬＬ及び上限値ＵＬが設定されると、ステップＳ１３３に移行する。
【００９１】
制御部３３は、ステップＳ１３４からステップＳ１３３に移行すると、「電源投入時計量モード」から「判別計量モード」へと状態を切り替えると共に、「上下限判別機能」を実行する。すなわち、２回目以降に計量皿２０に載置された被計量物の重量が軽量（下限値ＬＬ未満）であるか、過量（上限値ＵＬより大きい）であるか、適量（下限値ＬＬ以上かつ上限値ＵＬ以下）であるか、を判別することができる。
【００９２】
本実施形態の計量装置１では、電源が最初に投入されると、その直前の実行モードに応じて「上下限値簡単設定機能」が実行される（ステップＳ１３１及びステップＳ１３４）。特に、電源が最初に投入された時点で直前の実行モードにかかわらずに「上下限値簡単設定機能」を実行すれば、作業者は、「上下限値簡単設定機能」を実行するための特別な操作を行うことなく、下限値ＬＬ及び上限値ＵＬを設定することができる。
【００９３】
さらに、本実施形態の計量装置１では、当該下限値ＬＬ及び上限値ＵＬが設定されると、自動的に「上下限判別機能」が実行される（ステップＳ１３４及びステップＳ１３３）。これによって、作業者は、特に当該「上下限判別機能」を実行するための操作を行うことなく、被計量物が適量であるか等を判別することができる。
【００９４】
このように、本実施形態の計量装置１では、電源を入れた際には、複雑な操作を行うことなく自動的に「上下限値簡単設定機能」及び「上下限判別機能」を実行することができる。このため作業者は、手軽に当該「上下限判別機能」等を利用することができる。
【００９５】
この「電源投入時計量モード」において「上下限値簡単設定機能」が実行されると、下限値ＬＬ等が最初に計量皿２０に載せられた被計量物の重量によって定められるが、作業者は必要に応じて手動で当該下限値ＬＬ等を設定してもよい。
【００９６】
具体的には、「電源投入時計量モード」において「上下限値簡単設定機能」が実行されている状態で、「品種番号選択モード」を介して「品種設定モード」に状態が切り替えられると（図４参照）、図８に示すような下限値ＬＬ等の設定を手動で行うことができる。作業者は操作キー群１４を適宜操作することで、設定を行うテーブルの名称（品種番号）の指定（ステップＳ１４１）、下限値ＬＬの設定（ステップＳ１４２）、上限値ＵＬの設定（ステップＳ１４３）、下限値ＬＬ及び上限値ＵＬの確定（登録完了）（ステップＳ１４４）を手動で行うことができる。
【００９７】
また、「判別計量モード」において「上下限判別機能」が実行されている状態でも同様に、作業者は手動で下限値ＬＬ等を設定することができる。具体的には、「判別計量モード」において「上下限判別機能」が実行されている状態で、「品種番号選択モード」を介して「品種設定モード」に状態が遷移すると（図４参照）、図８に示すような下限値ＬＬ等の設定を手動で行うことができる。
【００９８】
また、「判別計量モード」において「ランク選別機能」が実行されている状態においては、作業者は手動でランク（各ランクの重量範囲）を設定することができる。具体的には、「判別計量モード」において「ランク選別機能」が実行されている状態で、「品種番号選択モード」を介して「品種設定モード」に状態が切り替えられると（図４参照）、図９に示すようなランクの設定を手動で行うことができる。作業者は操作キー群１４を適宜操作することで、設定を行うテーブルの名称（品種番号）の指定（ステップＳ１５１）、ランク１（１つ目のランク）の下限値の設定（ステップＳ１５２）、ランク２（２つ目のランク）の下限値の設定（ステップＳ１５３）、・・・、各ランクの下限値の確定（登録完了）（ステップＳ１５４）を手動で行うことができる。
【００９９】
「品種設定モード」において各設定が終了すると、当該「品種設定モード」から「判別計量モード」に状態が切り替えられ、「上下限判別機能」等を用いた計量が可能となる。
【０１００】
以上の如く、本実施形態に係る計量装置１は、
被計量物を載置可能な計量皿２０（載置部）と、
前記計量皿２０に載置された被計量物の重量を計量可能な計量部（制御部３３）と、
前記計量部によって計量された被計量物の重量を下限値ＬＬ（第一基準重量値）として設定する上下限値簡単設定機能（設定機能）、及び前記上下限値簡単設定機能によって前記下限値ＬＬが設定された後で前記計量部により計量された被計量物と、前記下限値ＬＬと、の大小関係を判定する上下限判別機能（判定機能）を実行可能な機能実行部（制御部３３）と、
を具備し、
前記機能実行部は、
電源が投入された場合、最初に前記上下限値簡単設定機能を実行するものである。
このように構成することにより、上下限判別機能（判定機能）を簡単に利用することができる。すなわち、電源投入後、最初に上下限値簡単設定機能が実行されるため、簡単に下限値ＬＬを設定することができ、簡単に上下限判別機能を実行するための準備（下限値ＬＬの設定）を行うことができる。
【０１０１】
また、前記機能実行部は、
電源が投入され、前記上下限値簡単設定機能を実行することにより前記下限値ＬＬが設定された場合、前記上下限判別機能を実行するものである。
このように構成することにより、上下限判別機能（判定機能）をより簡単に利用することができる。すなわち、下限値ＬＬを設定した後、速やかに上下限判別機能が実行されるため、当該上下限判別機能を簡単に利用することができる。
【０１０２】
また、前記上下限値簡単設定機能は、
前記下限値ＬＬに基づいて上限値ＵＬ（第二基準重量値）を設定するものであり、
前記上下限判別機能は、
前記計量部により計量された被計量物と、前記下限値ＬＬ及び前記上限値ＵＬと、の大小関係を判定するものである。
このように構成することにより、２つの基準値を簡単に設定することができる。すなわち、下限値ＬＬに基づいて上限値ＵＬが設定されるため、当該上限値ＵＬを設定するための操作が不要となる。
【０１０３】
また、前記上下限値簡単設定機能は、
前記下限値ＬＬを所定の割合だけ増加させた値を前記上限値ＵＬとして設定するものである。
このように構成することにより、上限値ＵＬを適度な値になるように設定することができる。すなわち、下限値ＬＬの値に応じて、当該下限値ＬＬと上限値ＵＬとの差を決定することができる。
【０１０４】
また、前記上下限値簡単設定機能は、
前記下限値ＬＬに所定の値を加算した値を前記上限値ＵＬとして設定するものである。
このように構成することにより、上限値ＵＬを適度な値になるように設定することができる。すなわち、下限値ＬＬの値にかかわらず、当該下限値ＬＬと上限値ＵＬとの差を決定することができる。
【０１０５】
なお、本実施形態に係る制御部３３は、本発明に係る計量部及び機能実行部の実施の一形態である。
また、本実施形態に係る計量皿２０は、本発明に係る計量部の実施の一形態である。
また、本実施形態に係る下限値ＬＬは、本発明に係る第一基準重量値の実施の一形態である。
また、本実施形態に係る上下限値簡単設定機能は、本発明に係る設定機能の実施の一形態である。
また、本実施形態に係る上下限判別機能は、本発明に係る判定機能の実施の一形態である。
また、本実施形態に係る上限値ＵＬは、本発明に係る第二基準重量値の実施の一形態である。
【０１０６】
以上、本発明の実施形態を説明したが、本発明は上記構成に限定されるものではなく、特許請求の範囲に記載された発明の範囲内で種々の変更が可能である。
【０１０７】
例えば、計量装置１の各部の構成（形状、大きさ等）は限定するものではなく、適宜変更することが可能である。
【０１０８】
また、本実施形態に係る上下限値簡単設定機能においては、下限値ＬＬに基づいて上限値ＵＬが設定されるものとしたが、本発明はこれに限るものではなく、上限値ＵＬに基づいて下限値ＬＬが設定されるものであってもよい。この場合、上限値ＵＬを所定の割合だけ減少させた値や、上限値ＵＬから所定の値を減算した値を、下限値ＬＬとして設定することが可能である。
【符号の説明】
【０１０９】
１      計量装置
１０    本体部
１３    ロードセル
１４    操作キー群
１５    液晶表示部
１６    ＬＥＤ表示部
２０    計量皿
３３    制御部
【図１】
2019015668.tif 000003
【図２】
2019015668.tif 000004
【図３】
2019015668.tif 000005
【図４】
2019015668.tif 000006
【図５】
2019015668.tif 000007
【図６】
2019015668.tif 000008
【図７】
2019015668.tif 000009
【図８】
2019015668.tif 000010
【図９】
2019015668.tif 000011